(57)【要約】【課題】装着体を人形体に取り付けて遊ぶ際に人形体の見た目が変化するだけではなく、取り付け動作に連動して装着体が変形する合体変形玩具を提供する。【解決手段】人形体１１と、前記人形体１１に外装可能な装着体２０と、を備える。前記装着体２０は、挿入口２２ａを開口させたベース部２２と、前記ベース部２２に対して移動可能に設けられた移動部２４と、前記移動部２４に連結された変形部２５，２６と、を備え、前記挿入口２２ａから前記人形体１１の頭部１２を挿入したときに、前記移動部２４が前記人形体１１に押されて前記人形体１１ととともに移動し、前記移動部２４の移動に連動して前記変形部２５，２６が変形する。【選択図】図４
0003192453.tif 000002
【実用新案登録請求の範囲】
【請求項１】
人形体と、前記人形体に外装可能な装着体と、を備え、
前記装着体は、挿入口を開口させたベース部と、前記ベース部に対して移動可能に設けられた移動部と、前記移動部に連結された変形部と、を備え、
前記挿入口から前記人形体の頭部を挿入したときに、前記移動部が前記人形体に押されて前記人形体ととともに移動し、前記移動部の移動に連動して前記変形部が変形することを特徴とする、合体変形玩具。
【請求項２】
前記装着体は、前記人形体の顔を露出させて前記人形体を覆うことを特徴とする、請求項１記載の合体変形玩具。
【請求項３】
前記移動部は、前記ベース部に対してスライド可能に取り付けられていることを特徴とする、請求項１又は２記載の合体変形玩具。
【請求項４】
前記変形部は、バネによって開き方向に付勢されるとともに、変形前の状態においては前記バネの付勢力に抗して係止されており、前記移動部が移動したときに係止が解除されて変形することを特徴とする、請求項１〜３のいずれかに記載の合体変形玩具。
【請求項５】
前記変形部は、軟質材料で形成されるとともに、変形前の状態において前記ベース部または前記移動部の内部に折り畳まれて収容されていることを特徴とする、請求項１又は２記載の合体変形玩具。
【考案の詳細な説明】
【技術分野】
【０００１】
この考案は、衣服などを模した装着体を人形体に取り付けて遊ぶことが可能な合体変形玩具に関する。
【背景技術】
【０００２】
従来、人形本体と着せ替え部材とを備え、人形本体の胴体部を着せ替え部材で被覆するようにした玩具が知られている。例えば、特許文献１には、磁性体によって人形本体に着せ替え部材を吸着させるようにした変身人形玩具が開示されている。このような玩具によれば、着せ替え部材を人形本体に着装することで、人形本体を簡単に変身させることができる。
【先行技術文献】
【特許文献】
【０００３】
【特許文献１】実開昭６３−５６０７８号公報
【考案の概要】
【考案が解決しようとする課題】
【０００４】
しかし、上記したような従来の玩具では、着せ替え部材をそのまま着装するため、より意外性に富んだ玩具が求められていた。
【０００５】
そこで、本考案は、装着体を人形体に取り付けて遊ぶ際に人形体の見た目が変化するでけではなく、取り付け動作に連動して装着体が変形する合体変形玩具を提供することを課題とする。
【課題を解決するための手段】
【０００６】
本考案は、上記した課題を解決するためになされたものであり、以下を特徴とする。
【０００７】
請求項１記載の考案は、人形体と、前記人形体に外装可能な装着体と、を備え、前記装着体は、挿入口を開口させたベース部と、前記ベース部に対して移動可能に設けられた移動部と、前記移動部に連結された変形部と、を備え、前記挿入口から前記人形体の頭部を挿入したときに、前記移動部が前記人形体に押されて前記人形体ととともに移動し、前記移動部の移動に連動して前記変形部が変形することを特徴とする。
【０００８】
請求項２に記載の考案は、前記装着体は、前記人形体の顔を露出させて前記人形体を覆うことを特徴とする。
【０００９】
請求項３に記載の考案は、前記移動部は、前記ベース部に対してスライド可能に取り付けられていることを特徴とする。
【００１０】
請求項４に記載の考案は、前記変形部は、バネによって開き方向に付勢されるとともに、変形前の状態においては前記バネの付勢力に抗して係止されており、前記移動部が移動したときに係止が解除されて変形することを特徴とする。
【００１１】
請求項５に記載の考案は、前記変形部は、軟質材料で形成されるとともに、変形前の状態において前記ベース部または前記移動部の内部に折り畳まれて収容されていることを特徴とする。
【考案の効果】
【００１２】
請求項１に記載の考案は上記の通りであり、装着体の挿入口から人形体の頭部を挿入したときに、装着体の移動部が人形体に押されて人形体ととともに移動し、移動部の移動に連動して変形部が変形する。すなわち、装着体を人形体に取り付けて遊ぶ際に人形体の見た目が変化するだけではなく、取り付け動作に連動して装着体が変形するので、意外性に富んだ合体変形玩具とすることができる。
【００１３】
また、請求項２に記載の考案は上記の通りであり、前記装着体は、前記人形体の顔を露出させて前記人形体を覆うので、着せ替え人形としての遊び方を備えた合体変形玩具とすることができる。
【００１４】
また、請求項３に記載の考案は上記の通りであり、前記移動部はベース部に対してスライド可能に取り付けられている。すなわち、移動部がスライドすることで機械的な動きで装着体が変形するので、変形ロボットなどの男児向け玩具に適した構造とすることができる。
【００１５】
また、請求項４に記載の考案は上記の通りであり、前記変形部は、バネによって開き方向に付勢されるとともに、変形前の状態においては前記バネの付勢力に抗して係止されており、前記移動部が移動したときに係止が解除されて変形するので、比較的シンプルな構造で装着体を変形させることができる。
【００１６】
また、請求項５に記載の考案は上記の通りであり、前記変形部は、軟質材料で形成されるとともに、変形前の状態において前記ベース部または前記移動部の内部に折り畳まれて収容されている。このような構成によれば、折り畳まれた変形部を引き出すだけで変形が完了するので、シンプルな構造とすることができる。また、変形部を軟質材料で形成しているので、例えば女児向けの柔らかいイメージの玩具とすることができる。
【図面の簡単な説明】
【００１７】
【図１】第１の実施形態に係る図であって、合体変形玩具の外観斜視図である。
【図２】第１の実施形態に係る図であって、装着体を斜め前から見た分解斜視図である。
【図３】第１の実施形態に係る図であって、装着体を斜め後ろから見た分解斜視図である。
【図４】第１の実施形態に係る図であって、装着体を人形体に着装する様子を斜め前から見た説明図である。
【図５】第１の実施形態に係る図であって、装着体を人形体に着装する様子を斜め後ろから見た説明図である。
【図６】第２の実施形態に係る図であって、合体変形玩具の外観斜視図である。
【図７】第２の実施形態に係る図であって、装着体を斜め前から見た分解斜視図である。
【図８】第２の実施形態に係る図であって、装着体を人形体に着装する様子を斜め前から見た説明図である。
【図９】第２の実施形態に係る図であって、装着体の内部構造を示す説明図である。
【考案を実施するための形態】
【００１８】
（第１の実施形態）
第１の実施形態について、図１〜５を参照しつつ説明する。
本実施形態に係る合体変形玩具１０は、図１に示すように、人形体１１と、装着体２０とを、備えて構成される。
【００１９】
人形体１１は、人間の姿を模したものであり、例えばプラスチックなどのある程度の硬さを持った材料で形成される。この人形体１１は、図１に示すように、頭部１２と、胴体部１４と、腕部１５と、脚部１６と、を備えている。本実施形態においては、頭部１２と、胴体部１４と、脚部１６と、は、可動不能に一体的に結合されている。また、腕部１５は、胴体部１４に対して揺動可能に連結されており、図１に示す状態から閉じ方向に（胴体部１４に沿う方向に）揺動可能となっている。なお、人形体１１は、人間の姿を模したものに限らず、動物などの他の生物を模したものや、生物以外のキャラクター（非生物を擬人化したものやロボットなど）であってもよい。
【００２０】
装着体２０は、人形体１１に外装可能に形成された部材である。この装着体２０は、人形体１１に着装する前の状態においては人形体１１の衣装とは関係のない形態であるにもかかわらず、人形体１１に着装した後には人形体１１の衣装の形態に変形するように構成されている。本実施形態においては、人形体１１に着装する前の装着体２０は自動車の形態になっている。なお、変形前の装着体２０の形態は自動車に限らず、他の乗り物、動植物、食べ物など、あらゆる物とすることができる。
本実施形態に係る装着体２０は、図２及び図３に示すように、ベース部２２と、移動部と、変形部と、を備えている。
【００２１】
ベース部２２は、人形体１１に着装したときに人形体１１の脚部１６を覆う部分である。装着体２０を人形体１１に着装する際には、このベース部２２を手で持って人形体１１に被せることで、装着体２０を人形体１１に着装できるようになっている。このベース部２２には、人形体１１を挿入するための挿入口２２ａが開口している。
【００２２】
本実施形態に係るベース部２２には、挿入口２２ａを覆うために蓋部材２３が取り付けられている。本実施形態の蓋部材２３は、周縁の一部に設けられた固定部２３ａがベース部２２に固定された軟質材料（たとえばゴム）製の部材である。蓋部材２３は、人形体１１を挿入口２２ａから挿入したときに、挿入口２２ａの内側に押し込まれるようになっている。
【００２３】
移動部は、ベース部２２に対してスライド可能に取り付けられた部分である。本実施形態に係る移動部は、スライド部材２４と、頭部材３１と、を備えている。
【００２４】
スライド部材２４は、人形体１１に着装したときに人形体１１の胴体部１４を覆う部分である。このスライド部材２４は、両側にスライド溝２４ａを備えており、このスライド溝２４ａがベース部２２の内側に形成された係合突起２２ｂに係合することで、ベース部２２に対してスライド可能にガイドされている。このスライド部材２４は、人形体１１が挿入口２２ａから挿入されて蓋部材２３が挿入口２２ａの内側に押し込まれたときに、蓋部材２３によって挿入口２２ａの奥方向へと押し込まれてスライドするようになっている。このスライド部材２４は、後述する前部材２６を回動可能に支持するための上支持部２４ｂと、後述する上腕部材２７を回動可能に支持するための側支持部２４ｃとを、それぞれ両側に備えている。
【００２５】
頭部材３１は、人形体１１に着装したときに人形体１１の頭部１２を覆う部分である。この頭部材３１は、スライド部材２４に対してスライド可能に取り付けられている。具体的には、この頭部材３１は、人形体１１の頭部１２を覆う頭被覆部３１ａと、頭被覆部３１ａの後部に設けられて垂下するスライド部３１ｂと、を備えており、スライド部３１ｂがスライド部材２４の後面に沿ってスライド可能にガイドされている。なお、スライド部３１ｂは、スライド部材２４の後面に固定されたカバー部材３２によって覆われており、このカバー部材３２とスライド部材２４とで挟み込まれることで、スライド部材２４に対して摺動可能に保持されている。このようにカバー部材３２とスライド部材２４とでスライド可能に支持された頭部材３１は、人形体１１を装着体２０に着装したときに、人形体１１の頭部１２に押し込まれてスライドするようになっている。
【００２６】
変形部は、スライド部材２４（移動部）に連結される部分であり、装着体２０を人形体１１に着装したときに、スライド部材２４の移動に連動して変形する部分である。本実施形態に係る変形部は、前部材２６と、一対のアーム部２５と、を備えている。
【００２７】
前部材２６は、自動車の形態のフロント部を構成する部材であり、人形体１１に着装したときに人形体１１の胸部付近に位置する部材である。この前部材２６は、スライド部材２４の上支持部２４ｂに対して回動可能に係合する回動係合部２６ａを備えており、回動係合部２６ａを中心にスライド部材２４に対して回動可能となっている。この前部材２６は、バネ（図示せず）によって開き方向に付勢されており、変形前の自動車の状態においてはバネの付勢力に抗して係止されている。具体的には、変形前の自動車の状態において、ベース部２２に凹設された係止部２２ｃに対して前部材２６の被係止部２６ｂが係合し、前部材２６がバネの付勢力に抗して閉じた状態を維持できるように構成されている。この変形前の自動車の状態からスライド部材２４が上方に移動すると、前部材２６も一体的に上方に移動し、係止部２２ｃと被係止部２６ｂとの係合が解除される。係止部２２ｃと被係止部２６ｂとの係合が解除されると、バネの付勢力によって前部材２６が前方へと回動して変形するようになっている。
【００２８】
アーム部２５は、人形体１１に着装したときに人形体１１の腕部１５付近に位置する部材である。左右のアーム部２５はそれぞれ、上腕部材２７と、肩部材２８と、下腕部材２９と、連結部材３０と、を備えている。
【００２９】
上腕部材２７は、スライド部材２４の側支持部２４ｃに対して回動可能に係合する回動係合部２７ａを備えており、回動係合部２７ａを中心にスライド部材２４に対して回動可能となっている。この上腕部材２７は、バネ（図示せず）によって開き方向に付勢されており、変形前の自動車の状態においてはバネの付勢力に抗して係止されている。具体的には、変形前の自動車の状態において、閉じ方向に畳まれた上腕部材２７がスライド部材２４の内部に入り込んでいるため、上腕部材２７がバネの付勢力に抗して閉じた状態を維持できるように構成されている。この変形前の自動車の状態からスライド部材２４が上方に移動すると、上腕部材２７も一体的に上方に移動し、スライド部材２４の外に出ることで係合が解除される。上腕部材２７とスライド部材２４との係合が解除されると、バネの付勢力によって上腕部材２７が側方へと回動して変形するようになっている。
【００３０】
肩部材２８は、上腕部材２７に固定された部材であり、上腕部材２７の挿入突起２７ｂを挿入して連結するための挿入孔２８ａを備えている。また、この肩部材２８は、連結部材３０を回動可能に支持するための回動支持部２８ｂを備えている。
【００３１】
下腕部材２９は、アーム部２５の先端に設けられた部材であり、後述する連結部材３０を介して、肩部材２８に対してスライド可能かつ回動可能に連結されている。この下腕部材２９は、連結部材３０を挿入するためのスライド孔２９ａを備えている。
【００３２】
連結部材３０は、肩部材２８と下腕部材２９とを連結するための部材であり、肩部材２８のスライド孔２９ａに挿入される角柱状の挿入部３０ａと、挿入部３０ａの端部に形成された回動部３０ｂと、を備えている。挿入部３０ａは、スライド孔２９ａにスライド可能に挿入されており、手で引き出すことで腕が伸びるように形成されている。また、腕を伸ばした場合には、回動部３０ｂによって、連結部材３０及び下腕部材２９が肩部材２８に対して回動できるようになっている。
【００３３】
次に、人形体１１を装着体２０に着装したときの動きについて、図４及び図５を参照しつつ説明する。
【００３４】
まず、図４（ａ）〜（ｂ）及び図５（ａ）〜（ｂ）に示すように、挿入口２２ａから人形体１１の頭部１２を挿入する。
【００３５】
人形体１１の頭部１２を挿入していくと、図４（ｃ）〜（ｄ）及び図５（ｃ）〜（ｄ）に示すように、スライド部材２４と頭部材３１とが、人形体１１に押されて人形体１１ととともに上方へと移動する。スライド部材２４が上方へと移動すると、前部材２６の回動を抑制していた係合が解除されるため、バネの付勢力によって前部材２６が前方へと回動する。同様に、スライド部材２４が上方へと移動すると、上腕部材２７（アーム部２５）の回動を抑制していた係合が解除されるため、バネの付勢力によって上腕部材２７（アーム部２５）が前方へと回動する。
【００３６】
そして、最終的には、図４（ｅ）及び図５（ｅ）に示すように、装着体２０がロボット型のスーツの形態に変形して人形体１１を覆う。このとき、装着体２０は、人形体１１の顔１３を露出させた状態で人形体１１を覆うようになっている。なお、変形後の状態では、人形体１１の腕部１５は閉じ方向に揺動して胴体部１４と一緒にベース部２２及びスライド部材２４の内部に収容される。
【００３７】
このような実施形態によれば、装着体２０の挿入口２２ａから人形体１１の頭部１２を挿入したときに、装着体２０のスライド部材２４が人形体１１に押されて人形体１１ととともに移動し、スライド部材２４の移動に連動してアーム部２５及び前部材２６が変形する。すなわち、装着体２０を人形体１１に取り付けて遊ぶ際に人形体１１の見た目が変化するだけではなく、取り付け動作に連動して装着体２０が変形するので、意外性に富んだ合体変形玩具１０とすることができる。
【００３８】
また、前記装着体２０は、前記人形体１１の顔１３を露出させて前記人形体１１を覆うので、着せ替え人形としての遊び方を備えた合体変形玩具１０とすることができる。
【００３９】
また、スライド部材２４はベース部２２に対してスライド可能に取り付けられている。すなわち、スライド部材２４がスライドすることで機械的な動きで装着体２０が変形するので、変形ロボットなどの男児向け玩具に適した構造とすることができる。
【００４０】
また、アーム部２５及び前部材２６は、バネによって開き方向に付勢されるとともに、変形前の状態においては前記バネの付勢力に抗して係止されており、スライド部材２４が移動したときに係止が解除されて変形するので、比較的シンプルな構造で装着体２０を変形させることができる。
【００４１】
（第２の実施形態）
第２の実施形態について、図６〜９を参照しつつ説明する。
本実施形態に係る合体変形玩具１０は、図６に示すように、第１の実施形態と同様の人形体１１と、装着体４０とを、備えて構成される。
【００４２】
本実施形態に係る装着体４０は、人形体１１に外装可能に形成された部材である。この装着体４０は、人形体１１に着装する前の状態においては人形体１１の衣装とは関係のない形態であるにもかかわらず、人形体１１に着装した後には人形体１１の衣装の形態に変形するように構成されている。本実施形態においては、人形体１１に着装する前の装着体４０はケーキの形態になっている。なお、変形前の装着体４０の形態はケーキに限らず、あらゆる物とすることができる。
【００４３】
本実施形態に係る装着体４０は、図７に示すように、ベース部４１と、移動部４４と、変形部５０と、を備えている。
【００４４】
ベース部４１は、人形体１１に着装したときに人形体１１の脚部１６付近を覆う部分である。装着体４０を人形体１１に着装する際には、このベース部４１を手で持って人形体１１に被せることで、装着体４０を人形体１１に着装できるようになっている。このベース４１の底部には、人形体１１を挿入するための挿入口４１ａが開口している。また、このベース４１の両側部には、人形体１１を着装したときに人形体１１の腕部１５を通過させるための切欠部４１ｂが形成されている。
【００４５】
移動部４４は、ベース部４１に対して移動可能に取り付けられた部分である。本実施形態に係る移動部４４は、後述する変形部５０を介してベース部４１と連結されている。この移動部４４は、図７に示すように、前カバー４６と、後カバー４７と、一対の側カバー４８と、頂部飾り４９と、を備えている。
【００４６】
前カバー４６及び後カバー４７は、前後に接合して固定されることで人形体１１の頭部１２を覆う部分である。一対の側カバー４８は、移動部４４の両側に取り付けられるものであり、ケーキの態様のときにベース部４１の切欠部４１ｂを覆うためのものである。本実施形態に係る側カバー４８は、動物の耳のような形状をしており、移動部４４の飾りとしても機能している。また、頂部飾り４９は、移動部４４の上部に取り付けられる飾りである。
【００４７】
なお、この移動部４４は、下端付近の外周部に膨出部４４ａを備えており、この膨出部４４ａがベース部４１の縮径部４１ｃに係合することで、ケーキの態様を維持できるようになっている（図９（ａ）参照）。
【００４８】
変形部５０は、人形体１１に着装したときに人形体１１の側頭部や胴体部１４付近を覆う部分である。本実施形態に係る変形部５０は、ゴムなどの軟質材料で形成されており、容易に撓んで変形するようになっている。この変形部５０は、下端付近が内筒４２を介してベース部４１に接続されており、上端付近が固定部材４５を介して移動部４４に接続されている。
【００４９】
なお、内筒４２の側部には、ベース部４１の切欠部４１ｂに対応する位置に切欠部４２ａが設けられている。そして、変形部５０の側部にも、内筒４２の切欠部４２ａやベース部４１の切欠部４１ｂに沿うようにスリット（図示せず）が設けられている。
【００５０】
また、固定部材４５は、凸軸部４５ａを介して移動部４４に取り付けられており、移動部４４に対して揺動可能となっている。なお、この変形部５０は、図９に示すように、変形前のケーキの状態においては、ベース部４１または移動部４４の内部に折り畳まれて収容されている。
【００５１】
次に、人形体１１を装着体２０に着装したときの動きについて、図８を参照しつつ説明する。
まず、図８（ａ）〜（ｂ）に示すように、挿入口４１ａから人形体１１の頭部１２を挿入する。
【００５２】
人形体１１の頭部１２を挿入していくと、図８（ｃ）に示すように、変形部５０と移動部４４とが、人形体１１に押されて人形体１１ととともに上方へと移動する。変形部５０が上方へと移動すると、ベース部４１または移動部４４の内部に折り畳まれて収容されていた変形部５０が伸び広がることで変形する。
【００５３】
そして、最終的には、図８（ｄ）に示すように、装着体４０が衣服の形態に変形して人形体１１を覆う。このとき、装着体４０は、人形体１１の顔１３を露出させた状態で人形体１１を覆うようになっている。なお、人形体１１の腕部１５は、変形部５０の側部に設けられたスリット及び切欠部４１ｂ、４２ａを通って側方に飛び出すようになっている。
【００５４】
なお、装着体４０を元のケーキの態様に戻す場合には、人形体１１を装着体４０から引き抜いた上で、移動部４４をベース部４１に押し込み、図９（ａ）に示すように、膨出部４４ａを縮径部４１ｃに係合させる。なお、ベース部４１の開口部には切欠部４１ｂが設けられているため、移動部４４をベース部４１に押し込むことでベース部４１の端縁が弾性的に押し広げられ、膨出部４４ａと縮径部４１ｃとを弾発的に係合させることができる。
【００５５】
このような実施形態によれば、装着体４０の挿入口４１ａから人形体１１の頭部１２を挿入したときに、装着体４０の移動部４４が人形体１１に押されて人形体１１ととともに移動し、移動部４４の移動に連動して変形部５０が変形する。すなわち、装着体４０を人形体１１に取り付けて遊ぶ際に人形体１１の見た目が変化するだけではなく、取り付け動作に連動して装着体４０が変形するので、意外性に富んだ合体変形玩具１０とすることができる。
【００５６】
また、前記装着体４０は、前記人形体１１の顔１３を露出させて前記人形体１１を覆うので、着せ替え人形としての遊び方を備えた合体変形玩具１０とすることができる。
【００５７】
また、前記変形部５０は、軟質材料で形成されるとともに、変形前の状態において前記ベース部４１または前記移動部４４の内部に折り畳まれて収容されている。このような構成によれば、折り畳まれた変形部５０を引き出すだけで変形が完了するので、シンプルな構造とすることができる。また、変形部５０を軟質材料で形成しているので、例えば女児向けの柔らかいイメージの玩具とすることができる。
【符号の説明】
【００５８】
１０  合体変形玩具
１１  人形体
１２  頭部
１３  顔
１４  胴体部
１５  腕部
１６  脚部
２０  装着体
２２  ベース部
２２ａ  挿入口
２２ｂ  係合突起
２２ｃ  係止部
２３  蓋部材
２３ａ  固定部
２４  スライド部材（移動部）
２４ａ  スライド溝
２４ｂ  上支持部
２４ｃ  側支持部
２５  アーム部（変形部）
２６  前部材（変形部）
２６ａ  回動係合部
２６ｂ  被係止部
２７  上腕部材
２７ａ  回動係合部
２７ｂ  挿入突起
２８  肩部材
２８ａ  挿入孔
２８ｂ  回動支持部
２９  下腕部材
２９ａ  スライド孔
３０  連結部材
３０ａ  挿入部
３０ｂ  回動部
３１  頭部材（移動部）
３１ａ  頭被覆部
３１ｂ  スライド部
３２  カバー部材
４０  装着体
４１  ベース部
４１ａ  挿入口
４１ｂ  切欠部
４１ｃ  縮径部
４２  内筒
４２ａ  切欠部
４４  移動部
４４ａ  膨出部
４５  固定部材
４５ａ  凸軸部
４６  前カバー
４７  後カバー
４８  側カバー
４９  頂部飾り
５０  変形部
【図１】
0003192453.tif 000003
【図２】
0003192453.tif 000004
【図３】
0003192453.tif 000005
【図４】
0003192453.tif 000006
【図５】
0003192453.tif 000007
【図６】
0003192453.tif 000008
【図７】
0003192453.tif 000009
【図８】
0003192453.tif 000010
【図９】
0003192453.tif 000011